(57)【要約】【課題】ランプのメンテナンスが容易でありながら、広範囲に光を拡散させるように照射することができる照明器具を提供することにある。【解決手段】ランプ（１）と、このランプ（１）の近傍に形成して、同ランプ（１）から照射される光を反射させる反射板（２）と、この反射板（２）で反射された光を所望の箇所に投光させる投光板（３）とを設け、さらに、この投光板（３）が一列に並べられた複数の投光パネル（４）からなっているとともに、この各々の投光パネル（４）を任意に可動させることにより、上記ランプ（１）から照射される光によって形成する照射エリアを可変となした。【選択図】    図１
2004234940.tif 000002
【特許請求の範囲】
【請求項１】
ランプと、このランプの近傍に形成して、同ランプから照射される光を反射させる反射板と、この反射板で反射された光を所望の箇所に投光させる投光板とを設け、さらに、この投光板が一列に並べられた複数の投光パネルからなっているとともに、この各々の投光パネルを任意に可動させることにより、上記ランプから照射される光によって形成する照射エリアを可変となしたことを特徴とする照明器具。
【請求項２】
上記投光パネルが、それぞれ中心部に回転軸を有しており、この回転軸を中心として回転することができるようになっているものであることを特徴とする請求項１記載の照明器具。
【請求項３】
上記反射板と上記投光板との間に上記ランプから照射される光量または光質を変更させる光可変板を設けたことを特徴とする請求項１または請求項２記載の照明器具。
【請求項４】
上記光可変板が、カラーフィルターまたはパンチング板のうち、少なくともいずれか１種のものであることを特徴とする請求項３記載の照明器具。
【請求項５】
上記ランプまたは上記反射板のうち、少なくともいずれか１つを可動なものとなしたことを特徴とする請求項１ないし請求項４いずれか記載の照明器具。
【発明の詳細な説明】
【０００１】
【発明の属する技術分野】
本発明は、照明器具に関し、さらに詳しくは、ランプから照射される光によって形成する照射エリアを可変となした照明器具に関するものである。
【０００２】
【従来の技術】
従来から、複数個ランプを設けて広範囲に光を照射するような照明器具が考えられていたが、その他には、例えば、下記の特許文献１に示されている特開平７―２６２８１４号公報のように、ランプ（１）から照射される光によって形成する照射エリアを可変となし、このように可変とすることで広範囲に光を照射するような照明器具が知られていたものであった。
【０００３】
具体的には、図８に示す配光可変な照明器具としては、灯体部（２０）と配光可変機構部（２２）とを備えているものである。そして、図９は、所定角度α，βのそれぞれをα＝β＝４５°の関係にした場合の配光可変な照明器具の配光可能な範囲を説明する平面図を示しているものである。灯体部（２０）は、ランプ（１）の放射する光を反射板（２）とレンズ（２１）とで集光してビーム状の照射光にし、前方の配光可変機構部（２２）に照射するようにされているものである。
【０００４】
配光可変機構部（２２）は、灯体部（２０）からの照射光を受けて該照射光を反射する第１平面鏡（２４）と、第１平面鏡（２４）の反射光を受けて該反射光を反射する第２平面鏡（２３）とを備えているものである。第１平面鏡（２４）は、灯体部（２０）からの照射光の光軸が第１平面鏡（２４）の中央点を常に通るとともに、灯体部（２０）からの照射光の光軸に対して常に所定角度αで交差するように配設されて、かつ、灯体部（２０）からの照射光の光軸を回動軸θとして回動できるようにされているものである。第２平面鏡（２３）は、第１平面鏡（２４）からの反射光の光軸が第２平面鏡（２３）の中央点を常に通るとともに、第１平面鏡（２４）からの反射光の光軸に対して常に所定角度βで交差するように配設され、かつ、第１平面鏡（２４）からの反射光の光軸を回動軸φとして回動できるようにされているものである。
【０００５】
すなわち、回動軸θは、第１平面鏡（２４）の中央点を所定角度αで貫通する直線であり、回動軸φは第２平面鏡（２３）の中央点を所定角度βで貫通する直線である。また、回動軸θは常に灯体部（２０）からの照射光の光軸に一致して、回動軸φは常に第１平面鏡（２４）からの反射光の光軸に一致しているものである。
【０００６】
したがって、第１平面鏡（２４）が回動軸θを軸として回動すると、第１平面鏡（２４）からの反射光の光軸は、第１平面鏡（２４）の中央点を頂点とする円錐面（所定角度α＝４５°の関係にある特別の場合のみ平面となり得る）を描いて移動するものである。また、第１平面鏡（２４）が回動軸θを軸として回動するのにともなって、第２平面鏡（２３）も回動軸θを軸としてともに回動するものである。また、第２平面鏡（２３）は、回動軸θを軸としての第１平面鏡（２４）の任意の回動位置で、回動軸φを軸として単独で回動するものである。
【０００７】
したがって、図８に示す配光可変照明装置にあっては、所定角度αと所定角度βとがともに４５°の関係にあるときは、図９に示すように、灯体部（２０）からの照射光は第１平面鏡（２４）と第２平面鏡（２３）とで最も広い立体角に渡って配光可能とできるとともに、第１平面鏡（２４）と第２平面鏡（２３）との大きさを最も小さくできるものである。なお、図９において、円Ａは所定角度α＝β＝４５°の特別の関係にある場合の第２平面鏡（２３）の中央点の軌跡を示し、Ｒは所定角度α＝β＝４５°の特別の関係にある場合の第２平面鏡（２３）の反射光の光軸の軌跡を示しているものである。
【０００８】
図９は、所定角度α＝β＝４５°の特別の関係にある場合は、第２平面鏡（２３）が回動軸φを軸にして回動すると、第２平面鏡（２３）の反射光の光軸の軌跡は平面Ｒとなり、しかも、この平面Ｒは前述した円Ａに対する接平面で、かつ、回動軸θと平行な平面であることを示しているものである。
【０００９】
すなわち、上述の説明からも明らかなように、所定角度α＝β＝４５°の特別の関係にある場合は、略第１平面鏡（２４）の影となる部分（正確には、α＝β＝４５°であるときの回動軸θから最も近い第２平面鏡（２３）の反射光までの距離の円の内側の部分）のみが配光（照射）不可能な範囲になるだけで、配光（照射）不可能な範囲が最も少なくなるものである。
【００１０】
【特許文献１】
特開平７―２６２８１４号公報
【００１１】
【発明が解決しようとする課題】
しかしながら、このような照明器具においては、複数個ランプを設けて広範囲に光を照射するような場合、メンテナンスに時間を要する上に、ランプの多さが意匠上で影響を与えていたものであった。また、ランプ（１）から照射される光によって形成する照射エリアを可変となした上記の特許文献１に示したような場合、ランプ（１）が１個であり、同ランプ（１）のメンテナンスは容易となった上に、第１平面鏡（２４）と第２平面鏡（２３）との回動によって、灯体部（２０）からの照射光を広い立体角にわたって配光することができて、結果として、広範囲に光を照射することができるものであるが、このような第１平面鏡（２４）と第２平面鏡（２３）との回動では、同時に広範囲に光を照射することはできないものであった。すなわち、この照明器具においては、広範囲に光を拡散させるような照射をすることはできないものであった。
【００１２】
本発明は、上述の事実に鑑みてなされたものであって、その目的とするところは、ランプのメンテナンスが容易でありながら、広範囲に光を拡散させるように照射することができる照明器具を提供することにある。
【００１３】
【課題を解決するための手段】
本発明の請求項１に係る照明器具は、ランプ（１）と、このランプ（１）の近傍に形成して、同ランプ（１）から照射される光を反射させる反射板（２）と、この反射板（２）で反射された光を所望の箇所に投光させる投光板（３）とを設け、さらに、この投光板（３）が一列に並べられた複数の投光パネル（４）からなっているとともに、この各々の投光パネル（４）を任意に可動させることにより、上記ランプ（１）から照射される光によって形成する照射エリアを可変となしたことを特徴とする。
【００１４】
本発明の請求項２に係る照明器具は、上記投光パネル（４）が、それぞれ中心部に回転軸（５）を有しており、この回転軸（５）を中心として回転することができるようになっているものであることを特徴とする。
【００１５】
本発明の請求項３に係る照明器具は、上記反射板（２）と上記投光板（３）との間に上記ランプ（１）から照射される光量または光質を変更させる光可変板（６）を設けたことを特徴とする。
【００１６】
本発明の請求項４に係る照明器具は、上記光可変板（６）が、カラーフィルターまたはパンチング板のうち、少なくともいずれか１種のものであることを特徴とする。
【００１７】
本発明の請求項５に係る照明器具は、上記ランプ（１）または上記反射板（２）のうち、少なくともいずれか１つを可動なものとなしたことを特徴とする。
【００１８】
【発明の実施の形態】
以下、本発明の実施の形態を図面に基づいて詳細に説明する。
【００１９】
図１は、本発明の一実施形態に係る照明器具を示した概略図である。図２は、本発明の他の一実施形態に係る照明器具を示した概略図である。図３は、本発明の照明器具において、一実施形態に係るランプと器具本体を示した断面図である。図４は、図３の器具本体の要部を拡大した断面図である。図５の（ａ）は、本発明の照明器具において、一実施形態に係る可動式ストッパーを示した側面図であり、図５の（ｂ）は、同可動式ストッパーの正面図であり、図５の（ｃ）は、同可動式ストッパーの平面図である。図６の（ａ）は、本発明の照明器具において、一実施形態に係る支持部材側のストッパーの状態を示す正面図であり、図６の（ｂ）は、同支持部材側のストッパーの状態を示す平面図である。図７の（ａ）は、本発明の照明器具において、一実施形態に係る支持部材側のストッパーの別の状態を示す正面図であり、図７の（ｂ）は、同支持部材側のストッパーの別の状態を示す平面図である。
【００２０】
本発明の照明器具は、図１ないし図７に示すごとく、ランプ（１）と、このランプ（１）の近傍に形成して、同ランプ（１）から照射される光を反射させる反射板（２）と、この反射板（２）で反射された光を所望の箇所に投光させる投光板（３）とを設け、さらに、この投光板（３）が一列に並べられた複数の投光パネル（４）からなっているとともに、この各々の投光パネル（４）を任意に可動させることにより、上記ランプ（１）から照射される光によって形成する照射エリアを可変となしているものである。
【００２１】
上記ランプ（１）は、光を照射することができる通常の照明具でかまわないものである。そして、上記反射板（２）は、図１および図２に示すごとく、このランプ（１）の近傍に形成しているものである。この反射板（２）は、上記ランプ（１）から照射される光を反射させているものである。この反射板（２）としては、例えば、アルミニウム製などのように反射が充分に行える金属製板が採用されるものであって、その他にも通常使用されているものと同様のものが採用されてもかまわないものである。
【００２２】
上記投光板（３）は、図１および図２に示すごとく、上記反射板（２）で反射された光を所望の箇所に投光させているものである。この投光板（３）は、反射板（２）で反射された光を所望の箇所に投光させることができるものであれば、例えば、アルミニウム製などのように反射が充分に行える金属製板といったように同反射板（２）と同様の材質のものであってもかまわないし、その他の材質のものが採用されたとしてもかまわないものである。
【００２３】
上記投光パネル（４）は、図１および図２に示すごとく、複数を一列に並べられて設けられたものであって、これによって、上記投光板（３）を形成しているものである。本発明では、この各々の投光パネル（４）を任意に可動させることにより、上記ランプ（１）から照射される光によって形成する照射エリアを可変となしているものである。
【００２４】
本発明は、このような構成をとることによって、ランプ（１）から照射される光を反射板（２）にて反射させてから、一列に並べられた複数の投光パネル（４）からなる投光板（３）にて反射板（２）で反射された光を所望の箇所に投光させることができて、しかも、各々の投光パネル（４）を任意に可動させることができるために、ランプ（１）としては１個だけであっても、広範囲に光を拡散させるように照射することができるものである。そして、ランプ（１）の数としては確実に減らせるので、結果的にランプ（１）のメンテナンスとしても容易で、省エネルギーにも繋がるものとなる。
【００２５】
すなわち、本発明は、ランプ（１）のメンテナンスが容易でありながら、広範囲に光を拡散させるように照射することができるものである。
【００２６】
また、図１および図２に示すごとく、上記投光パネル（４）が、それぞれ中心部に回転軸（５）を有しており、この回転軸（５）を中心として回転することができるようになっているものであると、投光パネル（４）としては回転軸（５）を中心としてそれぞれ回転させるだけで簡単に各々の投光パネル（４）の向きを自由自在に変えることができて、ランプ（１）から照射される光を様々な向きに自由自在に拡散させるように照射することができて、結果として、広範囲に光を拡散させるようにより一層確実に照射することができるものである。
【００２７】
さらに、図２に示すごとく、上記反射板（２）と上記投光板（３）との間に上記ランプ（１）から照射される光量または光質を変更させる光可変板（６）を設けているものであると、ランプ（１）から照射される光としては、光可変板（６）にて光量または光質を変更させられてから、投光板（３）にて光を拡散させるように照射することができて、結果として、光量または光質を変更させながら、光を広範囲に拡散させるように照射することができるものである。
【００２８】
上記光可変板（６）としては、上記ランプ（１）から照射される光量または光質を変更させることができるものであれば、その材質などは問われるものではないが、特に、上記光可変板（６）が、カラーフィルターまたはパンチング板のうち、少なくともいずれか１種のものであると、ランプ（１）から照射される光としては、カラーフィルターまたはパンチング板のうち、少なくともいずれか１種の光可変板（６）にて簡単、かつ、確実に光量または光質を変更させることができるものである。
【００２９】
そして、図１ないし図３に示すごとく、上記ランプ（１）または上記反射板（２）のうち、少なくともいずれか１つを可動なものとなしていると、各々を任意に可動させることができる一列に並べられた複数の投光パネル（４）に加えて、ランプ（１）または反射板（２）のうち、少なくともいずれか１つが可動となるから、ランプ（１）から照射される光を様々な向きに自由自在に拡散させるように照射することができて、結果として、広範囲に光を拡散させるようにより一層確実に照射することができるものである。
【００３０】
なお、上記ランプ（１）を可動なものとなした場合、例えば、図３に示すごとく、同ランプ（１）が取り付けられた器具本体（１０）そのものを可動となしていてもかまわないものである。
【００３１】
このような際には、図３に示すごとく、天井（８）に設けた開口部（９）に照射方向が可変となった器具本体（１０）が埋め込まれているものである。この器具本体（１０）は、上記ランプ（１）を有する灯具（１１）と支持部材（１２）を備えているものである。この支持部材（１２）は、開口部（９）に挿入されて脚部（１３ａ）により上記天井（８）に支持されるフレーム（１３）と、このフレーム（１３）内に配置されてばね（７ａ）により取り付けられる枠体（７）とを備えているものである。上記灯具（１１）は、水平回転可能で、かつ、軸心が傾斜できるように支持部材（１２）に支持されているものである。
【００３２】
このとき、図４に示すように、灯具（１１）の下端が枠体（７）により回転自在に支持されるととともに、外周面にストッパー（１４）がねじ止めにより、突設されているものである。すなわち、上記灯具（１１）に貫通したボルトをワッシャーを介してナットにねじ止めすることにより、外周面に突出したボルト頭部がストッパー（１４）となるものである。また、このストッパー（１４）の軸周りに灯具（１１）の内側部（１１ａ）が回動して傾斜しているものである。
【００３３】
また、上記支持部材（１２）側の灯具水平回転機構部にステンレス製の可動式ストッパー（１５）を備えており、これに上記ストッパー（１４）が当接することで、所定角度以上の灯具水平回転を阻止しているものである。
【００３４】
上記可動式ストッパー（１５）は、図５の（ａ）〜（ｃ）に示すごとく、取付部（１６）と、灯具（１１）側のストッパー（１４）に当接可能な突出部（１７）と、灯具（１１）の外周面を押える弾性部（１８）とを備えているものである。この場合、可動式ストッパー（１５）の板状部（１５ａ）の一方の側面に突出部（１７）が突設され、板状部（１５ａ）の下部の中央の１箇所を他方の側面側に垂下片が位置するようにＬ形に折曲することで取付部（１６）が形成してあるものである。また、板状部（１５ａ）の上部の中央に上方に延びた弾性部（１８）が一方の側面側に折曲した状態で形成され、その両側にガイド片（１６ａ），（１６ａ）が他方の側面側に突設してある。また、図６および図７のそれぞれ（ａ）、（ｂ）に示すように、枠体（７）の分離可能な上枠部（７ｂ）に灯具水平回転と同方向に延びるスリット（１９）が設けているものである。このスリット（１９）に取付部（１６）が移動自在に挿入されるとともにガイド片（１６ａ）を上枠部（７ｂ）の上縁部に当接させることにより、可動式ストッパー（１５）が灯具水平回転と同方向の一定範囲を可動しているものである。
【００３５】
そして、このような構成の照明器具は、図６の（ａ）および（ｂ）に示すごとく、灯具（１１）を回転させてそのストッパー（１４）が可動式ストッパー（１５）の突出部（１７）に当接すると、図７の（ａ）および（ｂ）に示すごとく、ストッパー（１４）とともに、この可動式ストッパー（１５）が可動するものである。このとき、取付部（１６）がスリット（１９）の長さの範囲でスライドすることで、灯具（１１）を３６０°以上回転させることが可能となるものである。また、ガイド片（１６）により、可動式ストッパー（１５）の姿勢が保持されるので円滑にスライドするものである。
【００３６】
以上のように、この実施の形態によれば、可動式ストッパー（１５）の取付部（１６）が、灯具水平回転と同方向の一定範囲を可動となるように、支持部材（１２）に取り付けられるので、灯具水平回転範囲が大きくなるものである。すなわち、３６０°以上の灯具水平回転が可能となり、照射範囲に死角がなくなるものである。また、灯具（１１）側のストッパー（１４）に当接可能な突出部（１７）と、灯具（１１）の外周面を押える弾性部（１８）とが同一の可動式ストッパー（１５）に備えてあるので、部品点数が１点で水平回転ストッパーと、振動による水平回転の抑制と、がたつき防止の機能を果たすことができるものである。このため、組み立て作業性向上によりコストダウンを図ることができて、振動によるがたつき音がなくなるものである。また、従来のように、灯具押えばねを別途設ける必要がないので、ばね取付スペース減少により、器具本体（１０）の小型化が可能となるものである。
【００３７】
本発明に係る照明器具によると、図１ないし図７に示すごとく、ランプ（１）と、このランプ（１）の近傍に形成して、同ランプ（１）から照射される光を反射させる反射板（２）と、この反射板（２）で反射された光を所望の箇所に投光させる投光板（３）とを設け、さらに、この投光板（３）が一列に並べられた複数の投光パネル（４）からなっているとともに、この各々の投光パネル（４）を任意に可動させることにより、上記ランプ（１）から照射される光によって形成する照射エリアを可変となしたので、ランプ（１）から照射される光を反射板（２）にて反射させてから、一列に並べられた複数の投光パネル（４）からなる投光板（３）にて反射板（２）で反射された光を所望の箇所に投光させることができて、しかも、各々の投光パネル（４）を任意に可動させることができるために、ランプ（１）としては１個だけであっても、広範囲に光を拡散させるように照射することができるものである。そして、ランプ（１）の数としては確実に減らせるので、結果的にランプ（１）のメンテナンスとしても容易で、省エネルギーにも繋がるものとなる。
【００３８】
すなわち、本発明は、ランプ（１）のメンテナンスが容易でありながら、広範囲に光を拡散させるように照射することができるものである。
【００３９】
【発明の効果】
本発明の請求項１に係る照明器具によると、ランプ（１）から照射される光を反射板（２）にて反射させてから、一列に並べられた複数の投光パネル（４）からなる投光板（３）にて反射板（２）で反射された光を所望の箇所に投光させることができて、しかも、各々の投光パネル（４）を任意に可動させることができるので、ランプ（１）としては１個だけであっても、広範囲に光を拡散させるように照射することができるものである。そして、ランプ（１）の数としては確実に減らせるので、結果的にランプ（１）のメンテナンスとしても容易で、省エネルギーにも繋がるものとなる。
【００４０】
すなわち、本発明は、ランプ（１）のメンテナンスが容易でありながら、広範囲に光を拡散させるように照射することができるものである。
【００４１】
本発明の請求項２に係る照明器具によると、請求項１記載の場合に加えて、投光パネル（４）としては回転軸（５）を中心としてそれぞれ回転させるだけで簡単に各々の投光パネル（４）の向きを自由自在に変えることができて、ランプ（１）から照射される光を様々な向きに自由自在に拡散させるように照射することができて、結果として、広範囲に光を拡散させるようにより一層確実に照射することができるものである。
【００４２】
本発明の請求項３に係る照明器具によると、請求項１または請求項２記載の場合に加えて、ランプ（１）から照射される光としては、光可変板（６）にて光量または光質を変更させられてから、投光板（３）にて光を拡散させるように照射することができて、結果として、光量または光質を変更させながら、光を広範囲に拡散させるように照射することができるものである。
【００４３】
本発明の請求項４に係る照明器具によると、請求項３記載の場合に加えて、ランプ（１）から照射される光としては、カラーフィルターまたはパンチング板のうち、少なくともいずれか１種の光可変板（６）にて簡単、かつ、確実に光量または光質を変更させることができるものである。
【００４４】
本発明の請求項５に係る照明器具によると、請求項１ないし請求項４いずれか記載の場合に加えて、各々を任意に可動させることができる一列に並べられた複数の投光パネル（４）に加えて、ランプ（１）または反射板（２）のうち、少なくともいずれか１つが可動となるから、ランプ（１）から照射される光を様々な向きに自由自在に拡散させるように照射することができて、結果として、広範囲に光を拡散させるようにより一層確実に照射することができるものである。
【図面の簡単な説明】
【図１】本発明の一実施形態に係る照明器具を示した概略図である。
【図２】本発明の他の一実施形態に係る照明器具を示した概略図である。
【図３】本発明の照明器具において、一実施形態に係るランプと器具本体を示した断面図である。
【図４】図３の器具本体の要部を拡大した断面図である。
【図５】（ａ）は、本発明の照明器具において、一実施形態に係る可動式ストッパーを示した側面図であり、（ｂ）は、同可動式ストッパーの正面図であり、（ｃ）は、同可動式ストッパーの平面図である。
【図６】本発明の照明器具において、一実施形態に係る支持部材側のストッパーの状態を示す正面図であり、（ｂ）は、同支持部材側のストッパーの状態を示す平面図である。
【図７】（ａ）は、本発明の照明器具において、一実施形態に係る支持部材側のストッパーの別の状態を示す正面図であり、（ｂ）は、同支持部材側のストッパーの別の状態を示す平面図である。
【図８】一従来例に係る照明器具を示した概略図である。
【図９】一従来例に係る照明器具において、配光可能な範囲を説明する平面図である。
【符号の説明】
１    ランプ
２    反射板
３    投光板
４    投光パネル
５    回転軸
６    光可変板
【図１】
2004234940.tif 000003
【図２】
2004234940.tif 000004
【図３】
2004234940.tif 000005
【図４】
2004234940.tif 000006
【図５】
2004234940.tif 000007
【図６】
2004234940.tif 000008
【図７】
2004234940.tif 000009
【図８】
2004234940.tif 000010
【図９】
2004234940.tif 000011